【手続補正書】
【提出日】平成23年11月8日(2011.11.8)
【手続補正１】
【補正対象書類名】特許請求の範囲
【補正対象項目名】全文
【補正方法】変更
【補正の内容】
【特許請求の範囲】
【請求項１】
ストリームデータを再生する情報処理装置であって、
第１のストリームデータの再生区間を指定する再生区間情報を含む第１の再生情報と、
前記第１のストリームデータとともに再生される第２のストリームデータの再生区間情報を含む第２の再生情報とを有する再生指定情報を取得する取得手段と、
取得された前記再生指定情報に基づいて、前記第２のストリームデータを前記第１のストリームデータとともに再生する再生手段と
を有する情報処理装置。
【請求項２】
前記再生指定情報は１つ以上の前記第１の再生情報を含み、前記第２の再生情報は、１つ以上の前記第１の再生情報のうちの、前記第２のストリームデータとともに再生される１つの前記第１のストリームデータを識別するための識別情報を含む
請求項１に記載の情報処理装置。
【請求項３】
前記再生指定情報は、前記第１の再生情報の１つにより指定される前記第１のストリームデータとともに再生される、前記第２のストリームデータを指定する複数の前記第２の再生情報を含む
請求項１に記載の情報処理装置。
【請求項４】
前記第２の再生情報により指定される前記第２のストリームデータは、前記第１の再生情報に含まれる前記再生区間情報により指定される前記第１のストリームデータの再生区間内で、前記第１のストリームデータとともに再生される
請求項１に記載の情報処理装置。
【請求項５】
前記第２のストリームデータは、前記第１のストリームデータと同期して再生される
請求項１に記載の情報処理装置。
【請求項６】
前記第２の再生情報は、前記第１のストリームデータの再生時間軸上の時刻であって、前記第２のストリームの再生を開始する時刻を示す同期時刻情報を含む
請求項４に記載の情報処理装置。
【請求項７】
前記同期時刻情報はプレゼンテーションタイムである
請求項５に記載の情報処理装置。
【請求項８】
ストリームデータを再生する情報処理方法であって、
第１のストリームデータの再生区間を指定する再生区間情報を含む第１の再生情報と、
前記第１のストリームデータとともに再生される第２のストリームデータの再生区間情報を含む第２の再生情報とを有する再生指定情報を取得する第１のステップと、
取得された前記再生指定情報に基づいて、前記第２のストリームデータを前記第１のストリームデータとともに再生する第２のステップと
を含む情報処理方法。
【請求項９】
ストリームデータを再生する情報処理装置を制御するコンピュータで実行されるプログラムが記録された記録媒体であって、
第１のストリームデータの再生区間を指定する再生区間情報を含む第１の再生情報と、
前記第１のストリームデータとともに再生される第２のストリームデータの再生区間情報を含む第２の再生情報とを有する再生指定情報を取得する第１のコードと、
取得された前記再生指定情報に基づいて、前記第２のストリームデータを前記第１のストリームデータとともに再生させる第２のコードと
を含むコンピュータが読み取り可能なプログラムが記録された記録媒体。
【請求項１０】
ストリームデータを再生する情報処理装置を制御するコンピュータで実行されるプログラムであって、
第１のストリームデータの再生区間を指定する再生区間情報を含む第１の再生情報と、
前記第１のストリームデータとともに再生される第２のストリームデータの再生区間情報を含む第２の再生情報とを有する再生指定情報を取得する第１のコードと、
取得された前記再生指定情報に基づいて、前記第２のストリームデータを前記第１のストリームデータとともに再生させる第２のコードと
を含むコンピュータが読み取り可能なプログラム。
【請求項１１】
ストリームデータの再生を制御する再生制御装置であって、
第１のストリームデータの再生区間を指定する再生区間情報を含む第１の再生情報と、
前記第１のストリームデータとともに再生される第２のストリームデータの再生区間情報を含む第２の再生情報とを有する再生指定情報を取得する取得手段と、
取得された前記再生指定情報に基づいて、前記第２のストリームデータの前記第１のストリームデータに伴った再生を制御する再生制御手段と
を有する再生制御装置。
【請求項１２】
ストリームデータを再生するための再生指定情報を記録する情報処理装置であって、
第１のストリームデータの再生区間を指定する再生区間情報を含む第１の再生情報と、
前記第１のストリームデータとともに再生される第２のストリームデータの再生区間情報を含む第２の再生情報とを有する前記再生指定情報を記録する記録手段を有する情報処理装置。
【請求項１３】
前記記録手段は、前記第２のストリームデータとともに前記再生指定情報を記録する
請求項１２に記載の情報処理装置。
【請求項１４】
ストリームデータを再生するための再生指定情報を記録する情報処理装置の情報処理方法であって、
第１のストリームデータの再生区間を指定する再生区間情報を含む第１の再生情報と、
前記第１のストリームデータとともに再生される第２のストリームデータの再生区間情報を含む第２の再生情報とを有する前記再生指定情報を記録する記録ステップを含む情報処理方法。
【請求項１５】
ストリームデータを再生するための再生指定情報を記録する情報処理装置を制御するコンピュータで実行されるプログラムが記録された記録媒体であって、
第１のストリームデータの再生区間を指定する再生区間情報を含む第１の再生情報と、
前記第１のストリームデータとともに再生される第２のストリームデータの再生区間情報を含む第２の再生情報とを有する前記再生指定情報を記録させる記録制御コードを含む
コンピュータが読み取り可能なプログラムが記録された記録媒体。
【請求項１６】
ストリームデータを再生するための再生指定情報を記録する情報処理装置を制御するコンピュータで実行されるプログラムであって、
第１のストリームデータの再生区間を指定する再生区間情報を含む第１の再生情報と、
前記第１のストリームデータとともに再生される第２のストリームデータの再生区間情報を含む第２の再生情報とを有する前記再生指定情報を記録させる記録制御コードを含む
コンピュータが読み取り可能なプログラム。
【請求項１７】
ストリームデータを再生するための再生指定情報の記録を制御する制御装置であって、
第１のストリームデータの再生区間を指定する再生区間情報を含む第１の再生情報と、
前記第１のストリームデータとともに再生される第２のストリームデータの再生区間情報を含む第２の再生情報とを有する前記再生指定情報の記録を制御する記録制御手段を有する制御装置。
【請求項１８】
第１のストリームデータの再生区間を指定する再生区間情報を含む第１の再生情報と、
前記第１のストリームデータとともに再生される第２のストリームデータの再生区間情報を含む第２の再生情報とを有する再生指定情報が記録された記録媒体であって、
前記第１の再生情報及び前記第２の再生情報に基づいて前記第２のストリームデータを前記第１のストリームデータとともに再生する情報処理装置に用いられる再生指定情報が記録された
記録媒体。
【手続補正２】
【補正対象書類名】明細書
【補正対象項目名】発明の名称
【補正方法】変更
【補正の内容】
【発明の名称】情報処理装置、情報処理方法、記録媒体、およびプログラム、再生制御装置、並びに制御装置
【手続補正３】
【補正対象書類名】明細書
【補正対象項目名】０００１
【補正方法】変更
【補正の内容】
【０００１】
本発明は情報処理装置、情報処理方法、記録媒体、およびプログラム、再生制御装置、並びに制御装置に関し、特に、GUIなどに説明表示する情報、主の再生経路の情報、副の再生経路の情報、主の再生経路を構成する個々の再生区間の間の接続情報、ユーザが所望したシーンにセットするブックマークやリジューム点の情報などの情報を含むファイルを記録する情報処理装置、情報処理方法、記録媒体、およびプログラム、再生制御装置、並びに制御装置に関する。
【手続補正４】
【補正対象書類名】明細書
【補正対象項目名】００３５
【補正方法】削除
【補正の内容】
【手続補正５】
【補正対象書類名】明細書
【補正対象項目名】００４１
【補正方法】変更
【補正の内容】
【００４１】
本発明の第２の情報処理装置および方法、記録媒体のプログラム、プログラム、制御装置、並びに記録媒体においては、第１のストリームデータの再生区間を指定する再生区間情報を含む第１の再生情報と、第１のストリームデータとともに再生される第２のストリームデータの再生区間情報を含む第２の再生情報とを有する再生指定情報が記録される。
【手続補正６】
【補正対象書類名】明細書
【補正対象項目名】００４５
【補正方法】変更
【補正の内容】
【００４５】
また、本発明の第２の情報処理装置および方法、記録媒体のプログラム、プログラム、制御装置、並びに記録媒体によれば、第１のストリームデータの再生区間を指定する再生区間情報を含む第１の再生情報と、第１のストリームデータとともに再生される第２のストリームデータの再生区間情報を含む第２の再生情報とを有する再生指定情報を記録するようにした。